(57)【要約】  【課題】  位相反転回路を独立して設ける必要を無くし、コストダウンを図れる音声信号処理回路を提供する。  【解決手段】  外部音声入力端子Ａがアナログスイッチ１１により選択されると、外部音声入力端子Ａから入力された音声信号は、ゲイン調整回路１２によりレベル調整された後、位相反転機能付きＡ／Ｄコンバータ１３により、デジタル信号により変換されると共に、位相が反転される。位相が反転され、デジタル信号になったデジタル音声信号は、ＭＰＥＧエンコード／デコードＩＣ１４により、記録時にはＭＰＥＧエンコード処理がされ、再生時にはＭＰＥＧデコード処理がされる。この構成により、従来は別に設けられていた位相反転回路を削除することができ、これにより、音声信号処理回路のコストダウンを図れ、また、回路面積が縮小することからも、基板のコストダウンにもつながる。【選択図】      図１
2005316048.tif 000002
【特許請求の範囲】
【請求項１】
選択した入力音声信号をデジタル音声信号に変換し、この変換されたデジタル音声信号
を、記録時にはＭＰＥＧエンコード処理を行い、再生時にはＭＰＥＧデコード処理を行う
音声信号処理回路において、１個以上の外部音声入力端子およびチューナ音声入力端子の
うちの１個の入力端子を選択して該入力端子からのアナログ音声信号を選択する音声選択
手段と、該音声選択手段からのアナログ音声信号を入力して該アナログ音声信号に対する
ゲインを所定値に調整する入力段のゲイン調整手段と、該ゲイン調整手段からのアナログ
音声信号に対してアナログ／デジタル変換すると共に位相反転を行う位相反転機能付きＡ
／Ｄ変換手段と、該Ａ／Ｄ変換手段からのデジタル音声信号を入力してＭＰＥＧエンコー
ド処理またはＭＰＥＧデコード処理を行うエンコード／デコード手段と備え、特に前記位
相反転機能付きＡ／Ｄ変換手段を１チップの集積回路で構成したことを特徴とする音声信
号処理回路。
【請求項２】
選択した入力音声信号をデジタル音声信号に変換し、この変換されたデジタル音声信号
を、記録時にはＭＰＥＧエンコード処理を行い、再生時にはＭＰＥＧデコード処理を行う
音声信号処理回路において、１個以上の外部音声入力端子およびチューナ音声入力端子の
うちの１個の入力端子を選択して該入力端子からのアナログ音声信号を選択する音声選択
手段と、該音声選択手段からのアナログ音声信号を入力して該アナログ音声信号に対する
ゲインを所定値に調整する入力段のゲイン調整手段と、該ゲイン調整手段からのアナログ
音声信号をデジタル音声信号に変換するＡ／Ｄ変換手段と、該Ａ／Ｄ変換手段からのデジ
タル音声信号を入力して位相反転を行うと共に位相反転したデジタル音声信号に対してＭ
ＰＥＧエンコード処理またはＭＰＥＧデコード処理を行う位相反転機能付きエンコード／
デコード手段と備え、特に位相反転機能付きエンコード／デコード手段を１チップの集積
回路で構成したことを特徴とする音声信号処理回路。
【請求項３】
選択した入力音声信号をデジタル音声信号に変換し、この変換されたデジタル音声信号
を、記録時には所定のエンコード処理を行い、再生時には所定のデコード処理を行う音声
信号処理回路において、１個以上の外部音声入力端子およびチューナ音声入力端子のうち
の１個の入力端子を選択して該入力端子からのアナログ音声信号を選択する音声選択手段
と、該音声選択手段からのアナログ音声信号を入力して該アナログ音声信号に対するゲイ
ンを所定値に調整する入力段のゲイン調整手段と、該ゲイン調整手段からのアナログ音声
信号をデジタル音声信号に変換するＡ／Ｄ変換手段と、該Ａ／Ｄ変換手段からのデジタル
音声信号に対して所定のエンコード処理または所定のデコード処理を行うエンコード／デ
コード手段とを備え、前記ゲイン調整手段からのアナログ音声信号を位相反転させる位相
反転機能を、前記Ａ／Ｄ変換手段または前記エンコード／デコード手段に付加したことを
特徴とする音声信号処理回路。
【請求項４】
前記ゲイン調整手段からのアナログ音声信号を位相反転させる位相反転機能が付加され
た前記Ａ／Ｄ変換手段は、前記ゲイン調整手段からのアナログ音声信号に対してアナログ
／デジタル変換すると共に位相反転を行う位相反転機能付きＡ／Ｄ変換手段で実現され、
該位相反転機能付きＡ／Ｄ変換手段を１チップの集積回路で構成したことを特徴とする請
求項３に記載の音声信号処理回路。
【請求項５】
前記ゲイン調整手段からのアナログ音声信号を位相反転させる位相反転機能が付加され
た前記エンコード／デコード手段は、前記Ａ／Ｄ変換手段からのデジタル音声信号を入力
して位相反転を行うと共に位相反転したデジタル音声信号に対して所定のエンコード処理
または所定のデコード処理を行う位相反転機能付きエンコード／デコード手段で実現され
、該位相反転機能付きエンコード／デコード手段を１チップの集積回路で構成したことを
特徴とする請求項３に記載の音声信号処理回路。
【請求項６】
前記所定のエンコード処理とはＭＰＥＧエンコード処理であり、前記所定のデコード処
理とはＭＰＥＧデコード処理であることを特徴とする請求項３または請求項５に記載の音
声信号処理回路。
【発明の詳細な説明】
【技術分野】
【０００１】
本発明は、ＤＶＤ（デジタル・バーサタイル・ディスク）などの光ディスクに対して情
報の記録・再生を行う光ディスク記録再生装置に備えられ、選択した入力音声信号をデジ
タル音声信号に変換し、この変換されたデジタル音声信号を、記録時にはＭＰＥＧ（movi
ng picture image coding experts group）エンコード処理を行い、再生時にはＭＰＥＧ
デコード処理を行う音声信号処理回路に関する。
【背景技術】
【０００２】
図４は従来の音声信号処理回路の構成を示すブロック図である。この音声信号処理回路
４００は、外部音声入力端子Ａと外部音声入力端子Ｂとチューナ音声入力端子Ｃとのうち
の１個の入力端子を選択して該入力端子からのアナログ音声信号を選択する音声選択手段
としてのアナログスイッチ回路４１と、該アナログスイッチ回路４１からのアナログ音声
信号を入力して該アナログ音声信号に対するゲインを所定値に調整する入力段のゲイン調
整手段としてのゲイン調整回路４２と、該ゲイン調整回路４２からのアナログ音声信号を
位相反転させる位相反転手段としての位相反転回路４３と、該位相反転回路４３からのア
ナログ音声信号をデジタル音声信号に変換するＡ／Ｄ変換手段としてのＡ／Ｄコンバータ
４４と、該Ａ／Ｄコンバータ４４からのデジタル音声信号を入力してＭＰＥＧエンコード
処理またはＭＰＥＧデコード処理を行うエンコード／デコード手段としてのＭＰＥＧエン
コード／デコードＩＣ４５とを有する入力回路４８を備えている。
【０００３】
また、音声信号処理回路４００は、入力回路４８にも含まれるＭＰＥＧエンコード／デ
コードＩＣ４５と、該ＭＰＥＧエンコード／デコードＩＣ４５からのデコードされたデジ
タル音声信号をアナログ音声信号に変換するＤ／Ａ変換手段としてのＤ／Ａコンバータ４
６と、該Ｄ／Ａコンバータ４６からのアナログ音声信号に対するゲインを所定値に調整し
て該アナログ音声信号を出力する出力段のゲイン調整手段としてのゲイン調整回路４７と
、該ゲイン調整回路４７からの信号を外部に出力するための出力端子Ｄおよび出力端子Ｅ
とを有する出力回路４９を備えている。
【０００４】
図５は、図４中のアナログスイッチ回路４１とゲイン調整回路４２と位相反転回路４３
の一例を示す回路図である。図５において、アナログスイッチ回路４１では、外部音声入
力端子Ａにカップリング用電解コンデンサ４１１および信号レベル調整用抵抗４１４を介
して接続された固定接点ａと、外部音声入力端子Ｂにカップリング用電解コンデンサ４１
２および信号レベル調整用抵抗４１５を介して接続された固定接点ｂと、チューナ音声入
力端子Ｃにカップリング用電解コンデンサ４１３および信号レベル調整用抵抗４１６を介
して接続された固定接点ｃと、固定接点ａ，ｂ，ｃの何れかを選択して接続する可動接点
ｄとを有するスイッチ４１７が備えられている。
【０００５】
ゲイン調整回路４２では、オペアンプ（演算増幅器）４２１とゲイン調整用抵抗（バイ
アス抵抗）４２２とカップリング用電解コンデンサ４２３とが備えられている。Ｖ１はオ
ペアンプ４２１の非反転入力端子（＋端子）に与えられる基準電圧を示す。なお、このゲ
イン調整回路４２では、カップリング用電解コンデンサ４２３を含めたものを示したが、
ゲイン調整回路４２の外部に設けても良い。位相反転回路４３では、オペアンプ４３１と
ゲイン調整用抵抗４３２，４３３とカップリング用電解コンデンサ４３４とが備えられて
いる。Ｖ２はオペアンプ４３１の非反転入力端子（＋端子）に与えられる基準電圧を示す
。なお、この位相反転回路４３では、カップリング用電解コンデンサ４３４を含めたもの
を示したが、位相反転回路４３の外部に設けても良い。
【特許文献１】特開平９−１５３８１２号公報
【特許文献２】特開平１１−３３１９９７号公報
【発明の開示】
【発明が解決しようとする課題】
【０００６】
ところで、この従来の音声信号処理回路４００において、ゲイン調整回路４２および位
相反転回路４３では、図５に示すように、外部音声入力端子Ａに入力される音声信号のレ
ベルは抵抗４１４により調整され、外部音声入力端子Ｂに入力される音声信号のレベルは
抵抗４１５により調整され、また、チューナ音声入力端子Ｃに入力される音声信号のレベ
ルは抵抗４１６により調整されるので、オペアンプ４２１の反転入力端子に入力される音
声信号のレベルは、オペアンプ４２１にとって適切なレベルとなり、ゲイン調整回路４２
および位相反転回路４３はロスが少なくなり、この音声信号処理回路４００としては性能
が悪化するようなことはない。
【０００７】
しかし、このような従来の音声信号処理回路４００では、ゲイン調整回路４２と位相反
転回路４３とに計２個のオペアンプを使用しているので、その分コストアップになるが、
このようなゲイン調整回路４２と位相反転回路４３を使用せずに、入力された音声信号を
単に増幅して音声信号を送出するような増幅回路であれば、１個のオペアンプでも実現で
き、コストダウンを図れるが、この場合は音声信号処理回路の性能が悪化することになる
。
【０００８】
図６はアナログスイッチ回路および１個のオペアンプを使用した場合の増幅回路の一例
を示す回路図である。図６において、アナログスイッチ回路６１では、外部音声入力端子
Ａにカップリング用電解コンデンサ６１１および信号レベル調整用抵抗６１４を介して接
続された固定接点ａと、外部音声入力端子Ｂにカップリング用電解コンデンサ６１２およ
び信号レベル調整用抵抗６１５を介して接続された固定接点ｂと、チューナ音声入力端子
Ｃにカップリング用電解コンデンサ６１３および信号レベル調整用抵抗６１６を介して接
続された固定接点ｃと、固定接点ａ，ｂ，ｃの何れかを選択して接続する可動接点ｄとを
有するスイッチ６１９が備えられている。
【０００９】
スイッチ６１９において、固定接点ａには、基準電圧Ｖ３が与えられる抵抗６１７と信
号レベル調整用抵抗６１４とにより分割された音声信号が入力される。固定接点ｂには、
基準電圧Ｖ３が与えられる抵抗６１８と信号レベル調整用抵抗６１５とにより分割された
音声信号が入力される。
【００１０】
増幅回路６２では、オペアンプ６２１とゲイン調整用抵抗（バイアス抵抗）６２２，６
２３，６２４，６２５とカップリング用電解コンデンサ６２６，６２７と基準電圧を安定
化させるための電解コンデンサ６２８とが備えられている。Ｖ４はオペアンプ６２１の非
反転入力端子（＋端子）に与えられる基準電圧を示す。なお、この増幅回路６２では、カ
ップリング用電解コンデンサ６２６，６２７を含めたものを示したが、増幅回路６２の外
部に設けても良い。
【００１１】
この図６に示す回路では、オペアンプを１個で構成しているので、その分、コストダウ
ンを図ることができるが、増幅回路６２の前段のアナログスイッチ回路６１において、例
えば外部音声入力端子Ａからの外部音声信号のレベル（電圧）は抵抗６１４と抵抗６１７
とによって分圧されるので、増幅回路６２に入力される外部音声信号にロスが生じ、これ
に伴って増幅回路６２の性能が低下し、結果的には音声信号処理回路の性能が悪化するこ
とになる。しかし、オペアンプ６２１のゲインを変えずに、外部音声信号およびチューナ
音声信号を同様に処理できれば問題ないが、増幅回路６２の入力レベルをチューナ音声信
号のレベルに合わせておくと、外部音声信号が増幅回路６２に入力されると、外部音声信
号のレベルがチューナ音声信号のレベルよりも高いので、増幅回路６２から出力される外
部音声信号に歪が生じるので、この場合も、音声信号処理回路の性能が悪化することにな
る。
【００１２】
なお、特許文献１の従来技術では、位相反転回路は独立して設けられているので、上記
で述べたようなコストダウンを図ることが難しく、また、位相反転回路は開示されている
が、ゲイン調整回路は開示されておらず、アナログスイッチ回路とゲイン調整回路と位相
反転回路とＡ／ＤコンバータとＭＰＥＧエンコード／デコードＩＣとを備えている音声信
号処理回路に関するものではない。
【００１３】
特許文献２の従来技術は、極性反転回路は独立して設けられているので、この従来技術
も上記で述べたようなコストダウンを図ることが難しく、また、アナログスイッチ回路と
ゲイン調整回路と位相反転回路とＡ／ＤコンバータとＭＰＥＧエンコード／デコードＩＣ
とを備えている音声信号処理回路に関するものではない。
【００１４】
本発明は、上記のような課題を解決するためになされたもので、位相反転回路を独立し
て設ける必要を無くし、コストダウンを図れる音声信号処理回路を提供することを目的と
する。
【課題を解決するための手段】
【００１５】
上記目的を達成するために、請求項１の発明は、選択した入力音声信号をデジタル音声
信号に変換し、この変換されたデジタル音声信号を、記録時にはＭＰＥＧエンコード処理
を行い、再生時にはＭＰＥＧデコード処理を行う音声信号処理回路において、１個以上の
外部音声入力端子およびチューナ音声入力端子のうちの１個の入力端子を選択して該入力
端子からのアナログ音声信号を選択する音声選択手段と、該音声選択手段からのアナログ
音声信号を入力して該アナログ音声信号に対するゲインを所定値に調整する入力段のゲイ
ン調整手段と、該ゲイン調整手段からのアナログ音声信号に対してアナログ／デジタル変
換すると共に位相反転を行う位相反転機能付きＡ／Ｄ変換手段と、該Ａ／Ｄ変換手段から
のデジタル音声信号を入力してＭＰＥＧエンコード処理またはＭＰＥＧデコード処理を行
うエンコード／デコード手段と備え、特に前記位相反転機能付きＡ／Ｄ変換手段を１チッ
プの集積回路で構成したことを特徴とする音声信号処理回路を提供する。
【００１６】
この構成において、例えば、外部音声入力端子が音声選択手段により選択されると、そ
の外部音声入力端子から入力された音声信号は、ゲインが調整されたゲイン調整手段によ
りレベル調整された後、位相反転機能付きＡ／Ｄ変換手段により、デジタル信号により変
換されると共に、位相が反転される。位相が反転され、デジタル信号になったデジタル音
声信号は、エンコード／デコード手段により、記録時にはＭＰＥＧエンコード処理がされ
、再生時にはＭＰＥＧデコード処理がされる。
【００１７】
この構成によれば、位相反転手段の機能は位相反転機能付きＡ／Ｄ変換手段に組み込ま
れているので、ゲイン調整手段と位相反転手段とが分離されている場合の構成と同等の効
果が得られ、特に位相反転機能付きＡ／Ｄ変換手段を１チップの集積回路で構成したので
、従来は別に設けられていた位相反転手段としての位相反転回路を削除することができ、
これにより、音声信号処理回路のコストダウンを図れ、また、回路面積が縮小することか
らも、基板のコストダウンにもつながる。
【００１８】
請求項２の発明は、選択した入力音声信号をデジタル音声信号に変換し、この変換され
たデジタル音声信号を、記録時にはＭＰＥＧエンコード処理を行い、再生時にはＭＰＥＧ
デコード処理を行う音声信号処理回路において、１個以上の外部音声入力端子およびチュ
ーナ音声入力端子のうちの１個の入力端子を選択して該入力端子からのアナログ音声信号
を選択する音声選択手段と、該音声選択手段からのアナログ音声信号を入力して該アナロ
グ音声信号に対するゲインを所定値に調整する入力段のゲイン調整手段と、該ゲイン調整
手段からのアナログ音声信号をデジタル音声信号に変換するＡ／Ｄ変換手段と、該Ａ／Ｄ
変換手段からのデジタル音声信号を入力して位相反転を行うと共に位相反転したデジタル
音声信号に対してＭＰＥＧエンコード処理またはＭＰＥＧデコード処理を行う位相反転機
能付きエンコード／デコード手段と備え、特に位相反転機能付きエンコード／デコード手
段を１チップの集積回路で構成したことを特徴とする音声信号処理回路を提供する。
【００１９】
この構成において、例えば、外部音声入力端子が音声選択手段により選択されると、そ
の外部音声入力端子から入力された音声信号は、ゲインが調整されたゲイン調整手段によ
りレベル調整された後、Ａ／Ｄ変換手段により、デジタル信号により変換される。デジタ
ル信号になったデジタル音声信号は、位相反転機能付きエンコード／デコード手段により
、位相が反転され、記録時にはＭＰＥＧエンコード処理がされ、再生時にはＭＰＥＧデコ
ード処理がされる。
【００２０】
この構成によれば、位相反転手段の機能は位相反転機能付きエンコード／デコード手段
に組み込まれているので、ゲイン調整手段と位相反転手段とが分離されている場合の構成
と同等の効果が得られ、特に位相反転機能付きエンコード／デコード手段を１チップの集
積回路で構成したので、従来は別に設けられていた位相反転手段としての位相反転回路を
削除することができ、これにより、音声信号処理回路のコストダウンを図れ、また、回路
面積が縮小することからも、基板のコストダウンにもつながる。
【００２１】
請求項３の発明は、選択した入力音声信号をデジタル音声信号に変換し、この変換され
たデジタル音声信号を、記録時には所定のエンコード処理を行い、再生時には所定のデコ
ード処理を行う音声信号処理回路において、１個以上の外部音声入力端子およびチューナ
音声入力端子のうちの１個の入力端子を選択して該入力端子からのアナログ音声信号を選
択する音声選択手段と、該音声選択手段からのアナログ音声信号を入力して該アナログ音
声信号に対するゲインを所定値に調整する入力段のゲイン調整手段と、該ゲイン調整手段
からのアナログ音声信号をデジタル音声信号に変換するＡ／Ｄ変換手段と、該Ａ／Ｄ変換
手段からのデジタル音声信号に対して所定のエンコード処理または所定のデコード処理を
行うエンコード／デコード手段とを備え、前記ゲイン調整手段からのアナログ音声信号を
位相反転させる位相反転機能を前記Ａ／Ｄ変換手段または前記エンコード／デコード手段
に付加したことを特徴とする音声信号処理回路を提供する。
【００２２】
この構成において、例えば、外部音声入力端子が音声選択手段により選択されると、そ
の外部音声入力端子から入力された音声信号は、ゲインが調整されたゲイン調整手段によ
りレベル調整される。Ａ／Ｄ変換手段に位相反転機能を付加した構成の場合、ゲイン調整
手段からの音声信号は、その位相反転機能付きＡ／Ｄ変換手段により、デジタル信号によ
り変換されると共に、位相が反転される。位相が反転され、デジタル信号になったデジタ
ル音声信号は、エンコード／デコード手段により、記録時にはＭＰＥＧエンコード処理が
され、再生時にはＭＰＥＧデコード処理がされる。
【００２３】
一方、エンコード／デコード手段に位相反転機能を付加した構成の場合、外部音声入力
端子から入力された音声信号は、ゲインが調整されたゲイン調整手段によりレベル調整さ
れ、Ａ／Ｄ変換手段により、デジタル信号により変換される。デジタル信号になったデジ
タル音声信号は、位相反転機能付きエンコード／デコード手段により、位相が反転され、
記録時にはＭＰＥＧエンコード処理がされ、再生時にはＭＰＥＧデコード処理がされる。
【００２４】
この構成によれば、位相反転手段の機能はＡ／Ｄ変換手段またはエンコード／デコード
手段に組み込まれているので、ゲイン調整手段と位相反転手段とが分離されている場合の
構成と同等の効果が得られ、従来は別に設けられていた位相反転手段としての位相反転回
路を削除することができ、これにより、音声信号処理回路のコストダウンを図れる。
【００２５】
請求項４の発明では、請求項３の発明において、前記ゲイン調整手段からのアナログ音
声信号を位相反転させる位相反転機能が付加された前記Ａ／Ｄ変換手段は、前記ゲイン調
整手段からのアナログ音声信号に対してアナログ／デジタル変換すると共に位相反転を行
う位相反転機能付きＡ／Ｄ変換手段で実現され、該位相反転機能付きＡ／Ｄ変換手段を１
チップの集積回路で構成したので、従来は別に設けられていた位相反転手段としての位相
反転回路を削除することができ、これにより、音声信号処理回路のコストダウンを図れ、
また、回路面積が縮小することからも、基板のコストダウンにもつながる。
【００２６】
請求項５の発明では、請求項３の発明において、前記ゲイン調整手段からのアナログ音
声信号を位相反転させる位相反転機能が付加された前記エンコード／デコード手段は、前
記Ａ／Ｄ変換手段からのデジタル音声信号を入力して位相反転を行うと共に位相反転した
デジタル音声信号に対して所定のエンコード処理または所定のデコード処理を行う位相反
転機能付きエンコード／デコード手段で実現され、該位相反転機能付きエンコード／デコ
ード手段を１チップの集積回路で構成したので、ゲイン調整手段と位相反転手段とが分離
されている場合の構成と同等の効果が得られ、従来は別に設けられていた位相反転手段と
しての位相反転回路を削除することができ、これにより、音声信号処理回路のコストダウ
ンを図れ、また、回路面積が縮小することからも、基板のコストダウンにもつながる。
【００２７】
請求項６の発明では、請求項３または請求項５の発明において、前記所定のエンコード
処理とはＭＰＥＧエンコード処理であり、前記所定のデコード処理とはＭＰＥＧデコード
処理であるので、音声信号をＭＰＥＧ処理して記録することが可能になると共に、ＭＰＥ
Ｇ処理された音声信号を再生することも可能になる。
【発明の効果】
【００２８】
以上のように本発明によれば、選択した入力音声信号をデジタル音声信号に変換し、こ
の変換されたデジタル音声信号を、記録時にはＭＰＥＧエンコード処理を行い、再生時に
はＭＰＥＧデコード処理を行う音声信号処理回路において、１個以上の外部音声入力端子
およびチューナ音声入力端子のうちの１個の入力端子を選択して該入力端子からのアナロ
グ音声信号を選択する音声選択手段と、該音声選択手段からのアナログ音声信号を入力し
て該アナログ音声信号に対するゲインを所定値に調整する入力段のゲイン調整手段と、該
ゲイン調整手段からのアナログ音声信号に対してアナログ／デジタル変換すると共に位相
反転を行う位相反転機能付きＡ／Ｄ変換手段と、該Ａ／Ｄ変換手段からのデジタル音声信
号を入力してＭＰＥＧエンコード処理またはＭＰＥＧデコード処理を行うエンコード／デ
コード手段と備え、特に前記位相反転機能付きＡ／Ｄ変換手段を１チップの集積回路で構
成したので、ゲイン調整手段と位相反転手段とが分離されている場合の構成と同等の効果
が得られ、従来は別に設けられていた位相反転手段としての位相反転回路を削除すること
ができ、これにより、音声信号処理回路のコストダウンを図れ、また、回路面積が縮小す
ることからも、基板のコストダウンにもつながる。
【００２９】
また、本発明によれば、選択した入力音声信号をデジタル音声信号に変換し、この変換
されたデジタル音声信号を、記録時にはＭＰＥＧエンコード処理を行い、再生時にはＭＰ
ＥＧデコード処理を行う音声信号処理回路において、１個以上の外部音声入力端子および
チューナ音声入力端子のうちの１個の入力端子を選択して該入力端子からのアナログ音声
信号を選択する音声選択手段と、該音声選択手段からのアナログ音声信号を入力して該ア
ナログ音声信号に対するゲインを所定値に調整する入力段のゲイン調整手段と、該ゲイン
調整手段からのアナログ音声信号をデジタル音声信号に変換するＡ／Ｄ変換手段と、該Ａ
／Ｄ変換手段からのデジタル音声信号を入力して位相反転を行うと共に位相反転したデジ
タル音声信号に対してＭＰＥＧエンコード処理またはＭＰＥＧデコード処理を行う位相反
転機能付きエンコード／デコード手段と備え、特に位相反転機能付きエンコード／デコー
ド手段を１チップの集積回路で構成したので、ゲイン調整手段と位相反転手段とが分離さ
れている場合の構成と同等の効果が得られ、従来は別に設けられていた位相反転手段とし
ての位相反転回路を削除することができ、これにより、音声信号処理回路のコストダウン
を図れ、また、回路面積が縮小することからも、基板のコストダウンにもつながる。
【００３０】
また、本発明によれば、選択した入力音声信号をデジタル音声信号に変換し、この変換
されたデジタル音声信号を、記録時には所定のエンコード処理を行い、再生時には所定の
デコード処理を行う音声信号処理回路において、１個以上の外部音声入力端子およびチュ
ーナ音声入力端子のうちの１個の入力端子を選択して該入力端子からのアナログ音声信号
を選択する音声選択手段と、該音声選択手段からのアナログ音声信号を入力して該アナロ
グ音声信号に対するゲインを所定値に調整する入力段のゲイン調整手段と、該ゲイン調整
手段からのアナログ音声信号をデジタル音声信号に変換するＡ／Ｄ変換手段と、該Ａ／Ｄ
変換手段からのデジタル音声信号に対して所定のエンコード処理または所定のデコード処
理を行うエンコード／デコード手段とを備え、前記ゲイン調整手段からのアナログ音声信
号を位相反転させる位相反転機能を前記Ａ／Ｄ変換手段または前記エンコード／デコード
手段に付加したので、ゲイン調整手段と位相反転手段とが分離されている場合の構成と同
等の効果が得られ、従来は別に設けられていた位相反転手段としての位相反転回路を削除
することができ、これにより、音声信号処理回路のコストダウンを図れる。
【発明を実施するための最良の形態】
【００３１】
以下、添付図面を参照しつつ、本発明の実施の形態について説明する。図１は本発明の
第１実施形態に係る音声信号処理回路の構成を示すブロック図である。
【００３２】
この音声信号処理回路１００は、外部音声入力端子Ａと外部音声入力端子Ｂとチューナ
音声入力端子Ｃとのうちの１個の入力端子を選択して該入力端子からのアナログ音声信号
を選択する音声選択手段としてのアナログスイッチ回路１１と、該アナログスイッチ回路
１１からのアナログ音声信号を入力して該アナログ音声信号に対するゲインを所定値に調
整する入力段のゲイン調整手段としてのゲイン調整回路１２と、該ゲイン調整回路１２か
らのアナログ音声信号に対してアナログ／デジタル変換すると共に位相反転を行う位相反
転機能付きＡ／Ｄ変換手段としての位相反転機能付きＡ／Ｄコンバータ１３と、該Ａ／Ｄ
コンバータ１３からのデジタル音声信号を入力してＭＰＥＧエンコード処理またはＭＰＥ
Ｇデコード処理を行うエンコード／デコード手段としてのＭＰＥＧエンコード／デコード
ＩＣ１４とを有する入力回路１を備えている。位相反転機能付きＡ／Ｄコンバータ１３は
Ａ／Ｄ変換および位相反転を行うためＡ／Ｄ変換回路１３ａおよび位相反転回路１３ｂを
有している。なお、位相反転機能付きＡ／Ｄコンバータ１３においては、位相反転回路を
前段に設け、Ａ／Ｄ変換回路を後段に設ける構成にしても良い。
【００３３】
また、この音声信号処理回路１００は、入力回路１にも含まれるＭＰＥＧエンコード／
デコードＩＣ１４と、該ＭＰＥＧエンコード／デコードＩＣ１４からのデコードされたデ
ジタル音声信号をアナログ音声信号に変換するＤ／Ａ変換手段してのＤ／Ａコンバータ１
５と、該Ｄ／Ａコンバータ１５からのアナログ音声信号に対するゲインを所定値に調整し
て該アナログ音声信号を出力する出力段のゲイン調整手段としてのゲイン調整回路１６と
、該ゲイン調整回路１６からの信号を外部に出力するための出力端子Ｄおよび出力端子Ｅ
とを有する出力回路２を備えている。
【００３４】
この音声信号処理回路１００において、例えば、外部機器としての情報再生装置に接続
された外部音声入力端子Ａがアナログスイッチ１１により選択されると、その外部音声入
力端子Ａから入力された音声信号は、ゲインが調整されたゲイン調整回路１２によりレベ
ル調整された後、位相反転機能付きＡ／Ｄコンバータ１３により、デジタル信号により変
換されると共に、位相が反転される。位相が反転され、デジタル信号になったデジタル音
声信号は、ＭＰＥＧエンコード／デコードＩＣ１４により、記録時にはＭＰＥＧエンコー
ド処理がされ、再生時にはＭＰＥＧデコード処理がされる。
【００３５】
そして、記録時にはＭＰＥＧエンコード処理がされたデジタル音声データは、図示しな
い記録処理回路へ送られ、光ディスクに記録される。一方、再生時にはＭＰＥＧデコード
されたデジタル音声信号は、Ｄ／Ａコンバータ１５に送られ、アナログ音声信号に変換さ
れ、このアナログ音声信号は、ゲイン調整回路１６にてレベルが調整され、出力端子Ｄお
よび出力端子Ｅから出力される。
【００３６】
例えば、出力端子Ｄはテレビジョン受信機の音声入力端子に接続するための端子であり
、出力端子Ｅはオーディオアンプの音声入力端子に接続するための端子であった場合、出
力端子Ｄからはテレビジョン受信機の音声入力レベルに合った音声信号がゲイン調整回路
１６から出力され、出力端子Ｅからはオーディオアンプの音声入力レベルに合った音声信
号が同じくゲイン調整回路１６から出力される。
【００３７】
例えば、外部機器としてのチューナに接続されたチューナ音声入力端子Ｃがアナログス
イッチ１１により選択されると、そのチューナ音声入力端子Ｃから入力された音声信号は
、ゲインが調整されたゲイン調整回路１２によりレベル調整された後、位相反転機能付き
Ａ／Ｄコンバータ１３により、デジタル信号により変換されると共に、位相が反転される
。位相が反転され、デジタル信号になったデジタル音声信号は、ＭＰＥＧエンコード／デ
コードＩＣ１４により、記録時にはＭＰＥＧエンコード処理がされ、再生時にはＭＰＥＧ
デコード処理がされる。
【００３８】
そして、記録時にはＭＰＥＧエンコード処理がされたデジタル音声データは、図示しな
い記録処理回路へ送られ、光ディスクに記録される。一方、再生時にはＭＰＥＧデコード
されたデジタル音声信号は、Ｄ／Ａコンバータ１５に送られ、アナログ音声信号に変換さ
れ、このアナログ音声信号は、ゲイン調整回路１６にてレベルが調整され、出力端子Ｄお
よび出力端子Ｅから出力される。
【００３９】
この第１実施形態によれば、位相反転回路の機能は位相反転機能付きＡ／Ｄコンバータ
１３に組み込まれているので、ゲイン調整回路と位相反転回路とが分離されている場合の
構成と同等の効果が得られ、特に位相反転機能付きＡ／Ｄコンバータ１３を１チップの集
積回路で構成したので、従来は別に設けられていた位相反転回路を削除することができ、
これにより、音声信号処理回路のコストダウンを図れ、また、回路面積が縮小することか
らも、基板のコストダウンにもつながる。
【００４０】
図２は本発明の第２実施形態に係る音声信号処理回路の構成を示すブロック図である。
【００４１】
この音声信号処理回路２００は、外部音声入力端子Ａと外部音声入力端子Ｂとチューナ
音声入力端子Ｃとのうちの１個の入力端子を選択して該入力端子からのアナログ音声信号
を選択する音声選択手段としてのアナログスイッチ回路２１と、該アナログスイッチ回路
２１からのアナログ音声信号を入力して該アナログ音声信号に対するゲインを所定値に調
整する入力段のゲイン調整手段としてのゲイン調整回路２２と、該ゲイン調整回路２２か
らのアナログ音声信号をアナログ／デジタル変換するＡ／Ｄ変換手段としてのＡ／Ｄコン
バータ２３と、該Ａ／Ｄコンバータ２３からのデジタル音声信号を入力して位相反転を行
うと共に位相反転したデジタル音声信号に対してＭＰＥＧエンコード処理またはＭＰＥＧ
デコード処理を行う位相反転機能付きエンコード／デコード手段としての位相反転機能付
きＭＰＥＧエンコード／デコードＩＣ２４とを有する入力回路３を備えている。位相反転
機能付きＭＰＥＧエンコード／デコードＩＣ２４は、位相反転を行うと共に位相反転した
デジタル音声信号に対してＭＰＥＧエンコード処理またはＭＰＥＧデコード処理を行うた
め、位相反転回路２４ａおよびＭＰＥＧ処理回路２４ｂを有している。
【００４２】
また、この音声信号処理回路２００は、入力回路３にも含まれる位相反転機能付きＭＰ
ＥＧエンコード／デコードＩＣ２４と、該位相反転機能付きＭＰＥＧエンコード／デコー
ドＩＣ２４からのデコードされたデジタル音声信号をアナログ音声信号に変換するＤ／Ａ
変換手段してのＤ／Ａコンバータ２５と、該Ｄ／Ａコンバータ２５からのアナログ音声信
号に対するゲインを所定値に調整して該アナログ音声信号を出力する出力段のゲイン調整
手段としてのゲイン調整回路２６と、該ゲイン調整回路２６からの信号を外部に出力する
ための出力端子Ｄおよび出力端子Ｅとを有する出力回路４を備えている。
【００４３】
この音声信号処理回路２００において、例えば、外部機器としての情報再生装置に接続
された外部音声入力端子Ａがアナログスイッチ２１により選択されると、その外部音声入
力端子Ａから入力された音声信号は、ゲインが調整されたゲイン調整回路２２によりレベ
ル調整された後、Ａ／Ｄコンバータ２３により、デジタル信号により変換される。デジタ
ル信号になったデジタル音声信号は、位相反転機能付きＭＰＥＧエンコード／デコードＩ
Ｃ２４により、位相が反転され、記録時にはＭＰＥＧエンコード処理がされ、再生時には
ＭＰＥＧデコード処理がされる。
【００４４】
そして、記録時にはＭＰＥＧエンコード処理がされたデジタル音声データは、図示しな
い記録処理回路へ送られ、光ディスクに記録される。一方、再生時にはＭＰＥＧデコード
されたデジタル音声信号は、Ｄ／Ａコンバータ２５に送られ、アナログ音声信号に変換さ
れ、このアナログ音声信号は、ゲイン調整回路２６にてレベルが調整され、出力端子Ｄお
よび出力端子Ｅから出力される。
【００４５】
例えば、出力端子Ｄはテレビジョン受信機の音声入力端子に接続するための端子であり
、出力端子Ｅはオーディオアンプの音声入力端子に接続するための端子であった場合、出
力端子Ｄからはテレビジョン受信機の音声入力レベルに合った音声信号がゲイン調整回路
２６から出力され、出力端子Ｅからはオーディオアンプの音声入力レベルに合った音声信
号が同じくゲイン調整回路２６から出力される。
【００４６】
例えば、外部機器としてのチューナに接続されたチューナ音声入力端子Ｃがアナログス
イッチ２１により選択されると、そのチューナ音声入力端子Ｃから入力された音声信号は
、ゲインが調整されたゲイン調整回路２２によりレベル調整された後、位相反転機能付き
Ａ／Ｄコンバータ２３により、デジタル信号により変換されると共に、位相が反転される
。位相が反転され、デジタル信号になったデジタル音声信号は、ＭＰＥＧエンコード／デ
コードＩＣ２４により、記録時にはＭＰＥＧエンコード処理がされ、再生時にはＭＰＥＧ
デコード処理がされる。
【００４７】
そして、記録時にはＭＰＥＧエンコード処理がされたデジタル音声データは、図示しな
い記録処理回路へ送られ、光ディスクに記録される。一方、再生時にはＭＰＥＧデコード
されたデジタル音声信号は、Ｄ／Ａコンバータ２５に送られ、アナログ音声信号に変換さ
れ、このアナログ音声信号は、ゲイン調整回路２６にてレベルが調整され、出力端子Ｄお
よび出力端子Ｅから出力される。
【００４８】
この第２実施形態によれば、位相反転回路の機能は位相反転機能付きＭＰＥＧエンコー
ド／デコードＩＣ２４に組み込まれているので、ゲイン調整回路と位相反転回路とが分離
されている場合の構成と同等の効果が得られ、特に位相反転機能付きＭＰＥＧエンコード
／デコードＩＣ２４を１チップの集積回路で構成したので、従来は別に設けられていた位
相反転手段としての位相反転回路を削除することができ、これにより、音声信号処理回路
のコストダウンを図れ、また、回路面積が縮小することからも、基板のコストダウンにも
つながる。
【００４９】
図３は、図１または図２においてＭＰＥＧエンコード／デコードＩＣに入力されるまで
に音声信号の位相を合わせないと再生信号が微妙に劣ることを参考として説明するための
ブロック図である。
【００５０】
この図３を参照して説明する。従来からＤ／Ａコンバータに位相反転機能が付いている
ため、その位相反転機能を用いれば、光ディスク記録再生装置としての音声信号は、位相
が正しく出力されるように考えられるが、ＭＰＥＧエンコード／デコードＩＣに入力され
るまでに位相を合わせないと、光ディスクに記録した後、この光ディスクを他の光ディス
ク記録再生装置（他のメーカの光ディスク記録再生装置）で再生した時に、再生信号が微
妙に劣ることがあり、したがって、ＭＰＥＧエンコード／デコードＩＣに入力されるまで
に音声信号の位相を合わせないと、使用することができない場合がある。
【００５１】
図３に示すように、入力回路が位相反転なしで、ＭＰＥＧエンコード／デコードＩＣを
通って光ディスクに音声データを記録した場合、Ｄ／Ａコンバータで反転しようとしても
、実際はＤ／Ａコンバータを通っていないので、光ディスクには負の信号で記録される。
そして、この光ディスクを他の光ディスク記録再生装置で再生すると、負の信号で再生さ
れるので、再生信号が微妙に劣ることがある。したがって、ＭＰＥＧエンコード／デコー
ドＩＣに入力されるまでに音声信号の位相を合わせないと、使用することができない場合
があるので、ＭＰＥＧエンコード／デコードＩＣに入力されるまでに音声信号の位相を反
転させることが必要となる。
【図面の簡単な説明】
【００５２】
【図１】本発明の第１実施形態に係る音声信号処理回路の構成を示すブロック図である。
【図２】本発明の第２実施形態に係る音声信号処理回路の構成を示すブロック図である。
【図３】図１または図２においてＭＰＥＧエンコード／デコードＩＣに入力されるまでに音声信号の位相を合わせないと再生信号が微妙に劣ることを参考として説明するためのブロック図である。
【図４】従来の音声信号処理回路の構成を示すブロック図である。
【図５】図４中のアナログスイッチ回路とゲイン調整回路と位相反転回路の一例を示す回路図である。
【図６】アナログスイッチ回路および１個のオペアンプを使用した場合の増幅回路の一例を示す回路図である。
【符号の説明】
【００５３】
Ａ，Ｂ    外部音声入力端子
Ｃ    チューナ音声入力端子
１１，２１    アナログスイッチ（音声選択手段）
１２，２２    ゲイン調整回路（ゲイン調整手段）
１３    位相反転機能付きＡ／Ｄコンバータ（位相反転機能付きＡ／Ｄ変換手段）
１４    ＭＰＥＧエンコード／デコードＩＣ（エンコード／デコード手段）
２３    Ａ／Ｄコンバータ（Ａ／Ｄ変換手段）
２４    位相反転機能付きＭＰＥＧエンコード／デコードＩＣ（位相反転機能付きエン
コード／デコード手段）
【図１】
2005316048.tif 000003
【図２】
2005316048.tif 000004
【図３】
2005316048.tif 000005
【図４】
2005316048.tif 000006
【図５】
2005316048.tif 000007
【図６】
2005316048.tif 000008